(57)【特許請求の範囲】
【請求項１】
第１のファンを作動させて、発熱体が収容された筐体内の空気を外部に排出する第１の換気扇と、
前記第１の換気扇に備えられた第１のシャッター装置と、
前記第１の換気扇に異常が発生した時に第２のファンを作動させて、前記第１の換気扇の代わりに、前記筐体内の空気を外部に排出する第２の換気扇と、
前記第２の換気扇に備えられた第２のシャッター装置と、
前記第１のファン及び前記第２のファンが共に停止した時に、前記第１のシャッター装置及び前記第２のシャッター装置の双方が完全に閉じることを防止する防止装置と、
を備え、
前記第１のシャッター装置は、前記筐体内の空気を外部に排出するための第１の排出経路を開閉する第１のブレードを備え、前記第１のファンの作動時に開き、前記第２のファンの作動時に閉じ、
前記第２のシャッター装置は、前記筐体内の空気を外部に排出するための第２の排出経路を開閉する第２のブレードを備え、前記第２のファンの作動時に開き、前記第１のファンの作動時に閉じ、
前記防止装置は、前記第１のブレード及び前記第２のブレードに連結され、前記第１のブレード及び前記第２のブレードの一方の開動作によって他方を閉動作させ、前記他方の開動作によって前記一方を閉動作させる
換気扇装置。
【請求項２】
第１のファンを作動させて、発熱体が収容された筐体内の空気を外部に排出する第１の換気扇と、
前記第１の換気扇に備えられた第１のシャッター装置と、
前記第１の換気扇に異常が発生した時に第２のファンを作動させて、前記第１の換気扇の代わりに、前記筐体内の空気を外部に排出する第２の換気扇と、
前記第２の換気扇に備えられた第２のシャッター装置と、
前記第１のファン及び前記第２のファンが共に停止した時に、前記第１のシャッター装置及び前記第２のシャッター装置の双方が完全に閉じることを防止する防止装置と、
を備え、
前記第１のシャッター装置は、
前記筐体内の空気を外部に排出するための第１の排出経路を開閉する複数の第１のブレードと、
前記第１のブレードが連結され、前記第１のブレードのそれぞれを同じ姿勢に保つ第１の連結材と、
を備え、前記第１のファンの作動時に開き、前記第２のファンの作動時に閉じ、
前記第２のシャッター装置は、
前記筐体内の空気を外部に排出するための第２の排出経路を開閉する複数の第２のブレードと、
前記第２のブレードが連結され、前記第２のブレードのそれぞれを同じ姿勢に保つ第２の連結材と、
を備え、前記第２のファンの作動時に開き、前記第１のファンの作動時に閉じ、
前記防止装置は、前記第１の連結材及び前記第２の連結材に連結され、前記第１のブレード及び前記第２のブレードの一方の開動作によって他方を閉動作させ、前記他方の開動作によって前記一方を閉動作させる
換気扇装置。
【請求項３】
前記第１の換気扇は、前記筐体に形成された第１の開口に対応して前記筐体に設けられ、前記第１のブレードが前記第１のファンよりも前記第１の開口側に配置され、
前記第２の換気扇は、前記筐体に形成された第２の開口に対応して前記筐体に設けられ、前記第２のブレードが前記第２のファンよりも前記第２の開口側に配置され、
前記防止装置は、中間部が前記筐体の内部を通過して、前記第１のブレード及び前記第２のブレード間、又は、前記第１の連結材及び前記第２の連結材間に連結された請求項１又は請求項２に記載の換気扇装置。
【請求項４】
前記第１のファン及び前記第２のファンが共に停止した後、所定の解除条件が成立すると、前記防止装置による前記第１のブレード及び前記第２のブレードの連結、又は、前記第１の連結材及び前記第２の連結材の連結を解除して、前記第１のシャッター装置及び前記第２のシャッター装置の双方を閉じさせる解除装置と、
を備えた請求項１から請求項３の何れか一項に記載の換気扇装置。
【請求項５】
前記解除装置は、前記防止装置を変位させることにより、前記防止装置による前記第１のブレード及び前記第２のブレードの連結とその連結の解除、又は、前記第１の連結材及び前記第２の連結材の連結とその連結の解除とを行う請求項４に記載の換気扇装置。
【請求項６】
前記解除装置は、前記第１のファン及び前記第２のファンが共に停止してからの経過時間に基づいて、前記防止装置による連結を解除する請求項４又は請求項５に記載の換気扇装置。
【請求項７】
前記発熱体の温度又は前記筐体の内部温度を検出する温度検出装置と、
を更に備え、
前記解除装置は、前記第１のファン及び前記第２のファンが共に停止した後、前記温度検出装置によって検出された温度に基づいて、前記防止装置による連結を解除する請求項４又は請求項５に記載の換気扇装置。
【発明の詳細な説明】
【技術分野】
【０００１】
この発明は、２つの換気扇が排他的に作動する換気扇装置に関するものである。
【背景技術】
【０００２】
下記特許文献１には、吸気と排気とを同時に行う換気扇装置が提案されている。
【０００３】
一方、大型変圧器等の重要設備には、換気扇の故障によって設備が停止してしまうことを防止するため、バックアップ機能を備えた換気扇装置が採用されている。図１１は従来の換気扇装置の構成を示す側面図であり、バックアップ機能を備えたものを示している。
【０００４】
図１１において、１は大型変圧器等からなる発熱体、２は発熱体１を内部に収容する筐体である。筐体２の上部には、バックアップ機能を備えた換気扇装置が設けられている。換気扇装置には、通常動作用の換気扇２７と、バックアップ用の換気扇２８とが備えられている。換気扇２７及び２８は、排他的に作動する。即ち、換気扇２７は、発熱体１を冷却する必要がある時（例えば、発熱体１の動作時）に優先的に作動する。換気扇２８は、発熱体１の冷却が必要な場合であって、換気扇２７に異常が発生して作動しない（停止した）時に、換気扇２７の代わりに作動し、その冷却機能を継承する。
【０００５】
換気扇２７が作動している時に換気扇２８の排気口が開いていると、その排気口から外部の空気が取り込まれ、ショートカット経路４ａが形成されてしまう。このため、従来では、換気扇２７及び２８の各排気口にシャッター装置２９及び３０を設置し、吸気口３から空気を取り込む適正な冷却経路４の他に、ショートカット経路４ａが形成されてしまうことを防止していた。
【０００６】
シャッター装置２９及び３０は、重力式のものが多く採用される。即ち、シャッター装置２９及び３０に、開閉動作のための専用の駆動装置は備えられていない。
例えば、シャッター装置２９は、一端部がファン３１のケース３２に蝶番等で回転自在に設けられたブレードからなる。シャッター装置２９は、ファン３１が回転すると、その風圧によって他端部が上方に持ち上げられ、排気口を開放する。また、ファン３１が停止すると、シャッター装置２９は自重によって他端部が下方に移動し、排気口を閉鎖する。
【０００７】
シャッター装置３０は、シャッター装置２９と同様に、一端部がファン３３のケース３４に蝶番等によって回転自在に設けられたブレードからなる。シャッター装置３０は、ファン３３が回転すると、その風圧によって他端部が上方に持ち上げられ、排気口を開放する。また、ファン３３が停止すると、シャッター装置３０は自重によって他端部が下方に移動し、排気口を閉鎖する。
【先行技術文献】
【特許文献】
【０００８】
【特許文献１】特開平７−２３３９８３号公報
【発明の概要】
【発明が解決しようとする課題】
【０００９】
図１１に示す換気扇装置では、ファン３１及び３３を停止させると、シャッター装置２９及び３０が閉じてしまうため、筐体２表面からの自然熱伝達でしか放熱することができなくなってしまう。発熱体１が熱容量の大きい大型変圧器等の設備である場合、発熱体１からは、設備の動作を停止した後もかなりの熱が筐体２の内部（の空気）に放出される。このため、図１１に示す換気扇装置において設備の停止と同時に換気扇２７及び２８を停止させると、強制換気或いは強制風冷されていた運転時と比較して、放熱量が著しく低下してしまうといった問題があった。例えば、筐体２の内部の熱容量が小さい場合は、発熱体１の表面温度が、運転時よりも一時的に高くなる場合がある。また、筐体２の内部に熱がこもり、筐体２の内部の温度が、内部に備えられた機器の許容温度上限を超えてしまう場合がある。更に、放熱体に電気絶縁物を使用している場合は、熱によって物性が劣化してしまう。
【００１０】
従来では、筐体２の内部の温度上昇を防止するため、設備（発熱体１）の動作が終了した後も換気扇２７（或いは２８）を動作させて、強制換気を行っていた。しかし、このような対応では、省エネルギー化を図ることができず、また、停電時には対応できないといった問題があった。
【００１１】
この発明は、上述のような課題を解決するためになされたもので、その目的は、バックアップ機能を備えた換気扇装置において、無駄なエネルギーを消費することなく、発熱体の動作が停止した後も筐体の内部の熱を適切に外部に放出することができる換気扇装置を提供することである。
【課題を解決するための手段】
【００１２】
この発明に係る換気扇装置は、第１のファンを作動させて、発熱体が収容された筐体内の空気を外部に排出する第１の換気扇と、第１の換気扇に備えられた第１のシャッター装置と、第１の換気扇に異常が発生した時に第２のファンを作動させて、第１の換気扇の代わりに、筐体内の空気を外部に排出する第２の換気扇と、第２の換気扇に備えられた第２のシャッター装置と、第１のファン及び第２のファンが共に停止した時に、第１のシャッター装置及び第２のシャッター装置の双方が完全に閉じることを防止する防止装置と、を備え、第１のシャッター装置は、筐体内の空気を外部に排出するための第１の排出経路を開閉する第１のブレードを備え、第１のファンの作動時に開き、第２のファンの作動時に閉じ、第２のシャッター装置は、筐体内の空気を外部に排出するための第２の排出経路を開閉する第２のブレードを備え、第２のファンの作動時に開き、第１のファンの作動時に閉じ、防止装置は、第１のブレード及び第２のブレードに連結され、第１のブレード及び第２のブレードの一方の開動作によって他方を閉動作させ、他方の開動作によって一方を閉動作させるものである。
また、この発明に係る換気扇装置は、第１のファンを作動させて、発熱体が収容された筐体内の空気を外部に排出する第１の換気扇と、前記第１の換気扇に備えられた第１のシャッター装置と、前記第１の換気扇に異常が発生した時に第２のファンを作動させて、前記第１の換気扇の代わりに、前記筐体内の空気を外部に排出する第２の換気扇と、前記第２の換気扇に備えられ、第２のシャッター装置と、前記第１のファン及び前記第２のファンが共に停止した時に、前記第１のシャッター装置及び前記第２のシャッター装置の双方が完全に閉じることを防止する防止装置と、を備え、前記第１のシャッター装置は、前記筐体内の空気を外部に排出するための第１の排出経路を開閉する複数の第１のブレードと、前記第１のブレードが連結され、前記第１のブレードのそれぞれを同じ姿勢に保つ第１の連結材と、を備え、前記第１のファンの作動時に開き、前記第２のファンの作動時に閉じ、前記第２のシャッター装置は、前記筐体内の空気を外部に排出するための第２の排出経路を開閉する複数の第２のブレードと、前記第２のブレードが連結され、前記第２のブレードのそれぞれを同じ姿勢に保つ第２の連結材と、を備え、前記第２のファンの作動時に開き、前記第１のファンの作動時に閉じ、前記防止装置は、前記第１の連結材及び前記第２の連結材に連結され、前記第１のブレード及び前記第２のブレードの一方の開動作によって他方を閉動作させ、前記他方の開動作によって前記一方を閉動作させるものである。
【発明の効果】
【００１３】
この発明によれば、バックアップ機能を備えた換気扇装置において、無駄なエネルギーを消費することなく、発熱体の動作が停止した後も筐体の内部の熱を適切に外部に放出することができるようになる。
【図面の簡単な説明】
【００１４】
【図１】この発明の実施の形態１における換気扇装置の構成を示す側面図である。
【図２】図１に示す換気扇装置の要部斜視図である。
【図３】図１に示す換気扇装置の要部斜視図である。
【図４】この発明の実施の形態１における換気扇装置の動作を説明するための図である。
【図５】この発明の実施の形態１における換気扇装置の動作を説明するための図である。
【図６】この発明の実施の形態１における換気扇装置の動作を説明するための図である。
【図７】この発明の実施の形態１における換気扇装置の動作を説明するための図である。
【図８】この発明の実施の形態２における換気扇装置の動作を説明するための図である。
【図９】この発明の実施の形態２における換気扇装置の動作を説明するための図である。
【図１０】この発明の実施の形態２における換気扇装置の動作を説明するための図である。
【図１１】従来の換気扇装置の構成を示す側面図である。
【発明を実施するための形態】
【００１５】
この発明をより詳細に説明するため、添付の図面に従ってこれを説明する。なお、各図中、同一又は相当する部分には同一の符号を付しており、その重複説明は適宜に簡略化ないし省略する。
【００１６】
実施の形態１．
図１はこの発明の実施の形態１における換気扇装置の構成を示す側面図、図２及び図３は図１に示す換気扇装置の要部斜視図である。
【００１７】
図１乃至図３において、１は大型変圧器等からなる発熱体、２は発熱体１を内部に収容する箱状の筐体である。筐体２には、発熱体１を内部に収容したり発熱体１を保守したりするための扉やカバーが備えられているが、図１ではそれらの図示を省略している。
【００１８】
筐体２の上部には、バックアップ機能を備えた換気扇装置が設けられている。換気扇装置は、筐体２の内部の空気を筐体２の外部に排出するためのものである。筐体２には、その下部に吸気口３が形成されている。換気扇装置が作動することにより、筐体２の外部の空気が、吸気口３から筐体２の内部に取り込まれる。また、換気扇装置が作動することにより、筐体２の内部で空気による冷却経路４が形成され、筐体２の内部の空気が、換気扇装置の上部に形成された排気口５ａ或いは５ｂから、筐体２の外部に強制的に排出される。発熱体１で発生した熱は、発熱体１の表面から周囲の空気に伝播する。発熱体１からの熱によって温まった空気が冷却経路４に沿って移動し、筐体２の外部に排出されることにより、発熱体１が適切に冷却される。６は冷却経路４を適切に形成するためのバッフルである。バッフル６を発熱体１に近接して配置することにより、適切な強制風冷構造を得ることができる。
【００１９】
換気扇装置には、通常動作用の換気扇７と、バックアップ用の換気扇８とが備えられている。換気扇７及び８は、排他的に作動する。即ち、換気扇７は、発熱体１を冷却する必要がある時（例えば、発熱体１の動作時）に優先的に作動する。換気扇８は、発熱体１の冷却が必要な場合であって、換気扇７に異常が発生して作動しない（停止した）時に、換気扇７の代わりに作動し、その冷却機能を継承する。
【００２０】
筐体２には、その上部に、開口２ａ及び２ｂが形成されている。換気扇７は、一方の開口２ａに対応するように筐体２に設けられている。
換気扇７には、ファン９とシャッター装置１０とが備えられている。シャッター装置１０は、開口２ａを上方から塞ぐように開口２ａの直上部に配置され、筐体２に固定されている。ファン９は、ケース１１に収容されており、ケース１１が、シャッター装置１０の上部に固定されている。このため、シャッター装置１０は、ファン９よりも開口２ａ側（筐体２側）に配置されている。換気扇７においてファン９が作動（回転）すると、筐体２の内部の空気は、開口２ａ、シャッター装置１０及びファン９を順次通過した後、排気口５ａから外部に排出される。排気口５ａは、ケース１１の上部に形成されている。
【００２１】
シャッター装置１０は、筐体２の内部の空気を外部に排出するための排出経路を開閉する。本実施の形態では、シャッター装置１０を筐体２の直上部に配置し、シャッター装置１０によって開口２ａを開閉している。即ち、シャッター装置１０が閉じている状態の時、筐体２内の空気は、排気口５ａから外部に排出されない。筐体２内の空気が排気口５ａから外部に排出可能になるのは、シャッター装置１０が開いている状態の時である。
【００２２】
シャッター装置１０は、例えば、上記排出経路を開閉する複数枚のブレード１２、各ブレード１２が連結された連結棒（連結材）１３、ブレード１２を収容するケース１４により、その要部が構成される。
【００２３】
各ブレード１２は、一端部が、水平な軸１５を介してケース１４に等間隔に取り付けられ、ケース１４に対して、所定の角度内を回転自在に設けられている。ブレード１２は、先端部（他端部）が他のブレード１２の一端部と重なり合うように水平に配置されることにより、開口２ａを閉鎖する（図３参照）。また、ブレード１２は、図３に示す状態から軸１５を中心に移動して、先端部が上方に持ち上がることにより、開口２ａを開放する（図２参照）。
【００２４】
連結棒１３は、シャッター装置１０に備えられている全てのブレード１２を常に同じ姿勢に保つためのものである。各ブレード１２は、一端部が、水平な軸１６を介して、軸１５に近接した位置で連結棒１３に回動自在に設けられている。このため、連結棒１３をブレード１２に対して一側（図２及び図３では、右側）に移動させることにより、先端部が上方に持ち上がるように各ブレード１２が軸１５を中心に移動し、開口２ａ（上記排出経路）が開放される。また、連結棒１３をブレード１２に対して他側（図２及び図３では、左側）に移動させることにより、先端部の位置が下がるように各ブレード１２が軸１５を中心に移動し、開口２ａ（上記排出経路）を閉鎖する。
【００２５】
換気扇８は、他方の開口２ｂに対応するように筐体２に設けられている。換気扇８の構成は、換気扇７の構成と基本的に同じである。
換気扇８には、ファン１７とシャッター装置１８とが備えられている。シャッター装置１８は、開口２ｂを上方から塞ぐように開口２ｂの直上部に配置され、筐体２に固定されている。ファン１７は、ケース１９に収容されており、ケース１９が、シャッター装置１８の上部に固定されている。このため、シャッター装置１８は、ファン１７よりも開口２ｂ側（筐体２側）に配置されている。換気扇８においてファン１７が作動（回転）すると、筐体２の内部の空気は、開口２ｂ、シャッター装置１８及びファン１７を順次通過した後、排気口５ｂから外部に排出される。排気口５ｂは、ケース１９の上部に形成されている。
【００２６】
シャッター装置１８は、筐体２の内部の空気を外部に排出するための排出経路を開閉する。本実施の形態では、シャッター装置１８を筐体２の直上部に配置し、シャッター装置１８によって開口２ｂを開閉している。即ち、シャッター装置１８が閉じている状態の時、筐体２内の空気は、排気口５ｂから外部に排出されない。筐体２内の空気が排気口５ｂから外部に排出可能になるのは、シャッター装置１８が開いている状態の時である。
【００２７】
シャッター装置１８は、例えば、上記排出経路を開閉する複数枚のブレード２０、各ブレード２０が連結された連結棒（連結材）２１、ブレード２０を収容するケース２２により、その要部が構成される。シャッター装置１８を構成する各要素は、シャッター装置１０の対応する要素と基本的に同じ機能を有している。
【００２８】
例えば、ブレード２０は、先端部（他端部）が他のブレード２０の一端部と重なり合うように水平に配置されることにより、開口２ｂ（上記排出経路）を閉鎖する。ブレード２０は、ケース２２に設けられた軸を中心に移動して、先端部が上方に持ち上がることにより、開口２ｂ（上記排出経路）を開放する。また、連結棒２１は、シャッター装置１８に備えられている全てのブレード２０を常に同じ姿勢に保つように機能する。即ち、連結棒２１をブレード２０に対して一側（図１では、左側）に移動させると、開口２ｂ（上記排出経路）が開放される。また、連結棒２１をブレード２０に対して他側（図１では、右側）に移動させると、開口２ｂ（上記排出経路）が閉鎖される。
【００２９】
シャッター装置１８は、シャッター装置１０の設置向きとは反対の向きに設置されている。このため、シャッター装置１８のブレード２０は、シャッター装置１０のブレード１２に正対するように配置される。本実施の形態では、ブレード１２の先端部とブレード２０の先端部とが向かい合うように、シャッター装置１０及び１８が左右対称に配置されている。
【００３０】
２３はシャッター装置１０の連結棒１３とシャッター装置１８の連結棒２１とに連結されたリンク棒である。リンク棒２３は、ファン９及び１７が共に停止した時に、シャッター装置１０のブレード１２及びシャッター装置１８のブレード２０の双方が完全に閉じてしまうことを防止する防止装置を構成する。リンク棒２３は、一端部が連結棒１３の一端部に、他端部が連結棒２１の一端部にそれぞれ回転自在に設けられ、中間部が筐体２の内部を通過するように配置されている。本実施の形態では、ブレード１２及び２０をリンク棒２３によって連動させることにより、上記防止装置の機能を実現している。
【００３１】
次に、図４乃至図７も参照し、上記構成を有する換気扇装置の動作について説明する。図４乃至図７は、この発明の実施の形態１における換気扇装置の動作を説明するための図である。
【００３２】
大型変圧器等が動作して発熱体１から熱が発生すると、換気扇装置では、換気扇７が作動して冷却経路４を形成し、発熱体１を冷却する。また、換気扇７が正常に作動している時、換気扇８は停止されている（図４参照）。
【００３３】
本実施の形態におけるシャッター装置１０及び１８は、ブレード１２及び２０の開閉動作に専用の駆動装置を必要としない、重力式のものである。即ち、換気扇７のファン９が作動して回転すると、シャッター装置１０の内部（ブレード１２の上方側）の圧力が下がる。シャッター装置１０では、ファン９の回転によって内部の圧力が下がると、ブレード１２が、筐体２の内部の空気に下方から押されて先端部が持ち上がり、開口２ａを開放する。これにより、筐体２の外部の空気が、吸気口３から筐体２の内部に取り込まれ、発熱体１の近傍を通過した後に、開口２ａ、シャッター装置１０（のケース１４）、ファン９（を収容するケース１１）を順次通過して、排気口５ａから外部に排出される。
【００３４】
シャッター装置１８のブレード２０は、ケース２２に支持された支点（軸）から先端部までの距離が、連結棒２１が連結された一端部までの距離よりも長くなるように構成されている。このため、ファン１７が作動していない時、ブレード２０には、自重によって開口２ｂ（排出経路）を閉じるように力が作用する。
【００３５】
また、ファン９が作動することによってブレード１２の先端部が持ち上がると、ブレード１２の一端部に連結された連結棒１３が、ブレード１２に対して一側（図４において右側）に移動する。連結棒１３のこの移動は、リンク棒２３を介してシャッター装置１８の連結棒２１に伝わる。ブレード１２及び２０は正対するように配置されているため、連結棒１３がブレード１２に対して一側することにより、連結棒２１は、ブレード２０に対して他側（図４において右側）に移動する。連結棒２１がブレード２０に対して他側に移動すると、ブレード２０は、先端部が下がり、開口２ｂを閉鎖するように移動する。即ち、連結棒１３及び２１がリンク棒２３によって連結されているため、ブレード１２の開動作によってブレード２０を閉動作させることができる。
【００３６】
このため、ファン９が定格で作動し、ファン１７が停止している定常時は、シャッター装置１０（のブレード１２）が最大に開いて、シャッター装置１８（のブレード２０）が完全に閉じた状態になる。かかる状態では、ブレード２０が完全に閉じているため、排気口５ｂから取り込まれた外部の空気が開口２ｂ、筐体２の内部、開口２ａを順次通過して排気口５ａから排出される経路（図１に示すショートカット経路４ａ）が形成されることはない。
【００３７】
図４に示す定常時に換気扇７に故障等が発生すると、検出装置（図示せず）によってその異常が検出され、制御装置（図示せず）によって換気扇７から換気扇８への切り替えが行われる。即ち、制御装置は、検出装置によって換気扇７の異常が検出されると、換気扇７（のファン９）を停止させ、換気扇８（のファン１７）を作動させる。図５は、換気扇８のファン１７を作動させた直後の状態（過渡期）を示している。この時、換気扇７では、ファン９を停止させるための動作が行われている。即ち、換気扇７では、ファン９の回転が徐々に遅くなり、風速が徐々に弱くなっている。
【００３８】
一方、換気扇８では、ファン１７が作動して回転が開始されるため、シャッター装置１８の内部（ブレード２０の上方側）の圧力が徐々に下がる。シャッター装置１８では、ファン１７の回転によって内部の圧力が下がると、ブレード２０が、筐体２の内部の空気に下方から押されて、先端部が持ち上がるように力を受ける。
【００３９】
なお、シャッター装置１０では、ブレード１２が、ケース１４に支持された支点（軸１５）から先端部までの距離が、連結棒１３が連結された一端部までの距離よりも長くなるように構成されている。このため、ファン９が作動していない時、ブレード１２には、自重によって開口２ａ（排出経路）を閉じるように力が作用する。
【００４０】
したがって、換気扇７から換気扇８への切り替えが行われると、ブレード２０の先端部が持ち上がり、開口２ｂが開放する。また、ファン１７が作動することによってブレード２０の先端部が持ち上がると、ブレード２０の一端部に連結された連結棒２１が、ブレード２０に対して一側（図５において左側）に移動する。連結棒２１のこの移動は、リンク棒２３を介してシャッター装置１０の連結棒１３に伝わる。連結棒２１がブレード２０に対して一側することにより、連結棒１３は、ブレード１２に対して他側（図５において左側）に移動する。連結棒１３がブレード１２に対して他側に移動すると、ブレード１２は、先端部が下がり、開口２ａを閉鎖するように移動する。即ち、連結棒１３及び２１がリンク棒２３によって連結されているため、ブレード２０の開動作によってブレード１２を閉動作させることができる。
【００４１】
このため、ファン９が停止し、ファン１７が定格で作動するバックアップ時は、図６に示すように、シャッター装置１８（のブレード２０）が最大に開いて、シャッター装置１０（のブレード１２）が完全に閉じた状態になる。かかる状態では、ブレード１２が完全に閉じているため、排気口５ａから取り込まれた外部の空気が開口２ａ、筐体２の内部、開口２ｂを順次通過して排気口５ｂから排出されるショートカット経路が形成されることはない。
【００４２】
その後、大型変圧器等からなる発熱体１の動作が終了すると、換気扇８（のファン１７）が停止し、換気扇７のファン９と換気扇８のファン１７との双方が止まった状態になる（図７参照）。なお、図７に示す状態は、換気扇７に異常が発生せず、換気扇装置が定常状態のまま停止した場合も同じである。かかる状態では、ブレード１２には、自重によって開口２ａを閉じるように力が作用する。同様に、ブレード２０には、自重によって開口２ｂを閉じるように力が作用する。しかし、連結棒１３及び２１がリンク棒２３によって連結されているため、ブレード１２及び２０の双方が完全に閉じることはない。ファン９及び１７の双方が停止すると、ブレード１２及び２０は、それぞれの開閉に関するエネルギーが均衡する位置で停止し、換気扇装置には、シャッター装置１０（或いは１８）一台分程度の開口量（排出経路）が確保される。
【００４３】
発熱体１が大型変圧器といった熱容量の大きな設備である場合、発熱体１の動作が停止しても、発熱体１が直ぐに低温になる訳ではない。発熱体１からは、設備の動作を停止した後もかなりの熱が筐体２の内部（の空気）に放出される。上記構成を有する換気扇装置であれば、換気扇７及び８が停止した後も、シャッター装置１０（或いは１８）一台分程度の排出経路を確保することができる。このため、発熱体１によって温められた空気は、筐体２の内部を上昇し、排出口５ａ及び／又は５ｂから筐体２の外部に排出される。また、筐体２の内部の空気が排出口５ａ及び／又は５ｂから筐体２の外部に排出されることにより、吸気口３から筐体２の内部に冷たい空気が取り込まれる。このため、設備（発熱体１）の動作が停止した後も筐体２の内部の熱を外部に放出することができ、適切な自然換気状態を形成することができる。
【００４４】
なお、上記構成の換気扇装置であれば、設備（発熱体１）の動作を停止させた後に、無駄なエネルギーが消費されることもなく、停電時にも対応できる。
【００４５】
また、上記構成の換気扇装置では、シャッター装置１０及び１８がファン９及び１７の下側（筐体２側）に配置され、且つ、リンク棒２３が、筐体２の内部を通過するように配置されている。このため、上記自然換気機能を実現するための構成が、筐体２の外部に露出することがなく、可動機構を適切に保護することができる。
【００４６】
本実施の形態では、シャッター装置１０及び１８の幅及び奥行きが３０乃至５０ｃｍ程度のものを想定して説明を行った。かかる場合、シャッター装置１０及び１８には、ブレード１２及び２０が５乃至１０枚程度設置される。一方、シャッター装置１０及び１８が小型のものの場合は、ブレード１２及び２０の設置枚数が本実施の形態のものよりも少なくても良い。かかる場合、例えば、リンク棒２３をブレード１２及び２０に直接連結しても良い。
【００４７】
実施の形態２．
図８乃至図１０はこの発明の実施の形態２における換気扇装置の動作を説明するための図である。図８乃至図１０に示す換気扇装置は、実施の形態１において示した構成に、電磁ソレノイド装置２４を追加したものである。
【００４８】
電磁ソレノイド装置２４は、換気扇７（のファン９）及び換気扇８（のファン１７）が共に停止した後、所定の解除条件が成立した際に、リンク棒２３による連結棒１３及び２１の連結を解除する解除装置を構成する。シャッター装置１０及び１８は、上述したように、共に重力式である。このため、ファン９及び１７の双方が停止している時にリンク棒２３による連結棒１３及び２１の連結が解除されると、ブレード１２及び２０の各先端部が下方に移動して開口２ａ及び２ｂを完全に塞ぎ、シャッター装置１０及び１８は共に閉じた状態になる。
【００４９】
本換気扇装置では、連結棒１３及び２１がリンク棒２３によって連結されているため、換気扇７及び８が共に停止しても、その直後にシャッター装置１０及び１８の双方が閉じてしまうことはない。このため、筐体２内部の温まった空気を筐体２の外部に排出することができるものの、埃やゴミが、開口２ａ及び／又は２ｂを介して筐体２の内部に進入することも許してしまう。電磁ソレノイド装置２４は、換気扇７及び８が停止した後に、ブレード１２及び／又は２０が長時間開放されたままの状態で放置されることを防止するためのものである。即ち、電磁ソレノイド装置２４は、動作していたファン９又は１７が停止した直後は、排出経路を確保して、上記自然換気機能を実現する。一方、動作していたファン９又は１７が停止した後に所定の解除条件が成立すると、シャッター装置１０及び１８（のブレード１２及び２０）を完全に閉じて、筐体２の内部に埃やゴミが進入することを防止する。
【００５０】
電磁ソレノイド装置２４は、例えば、アーム２５、電磁式のソレノイド２６、電源部（図示せず）により、その要部が構成される。
アーム２５は、先端部が、リンク棒２３の中間部に回転自在に連結されている。ソレノイド２６は、アーム２５を伸縮させるためのものである。即ち、電源部からソレノイド２６に所定の電源が供給されると、アーム２５が伸びてリンク棒２３が上方位置に変位される。リンク棒２３には、他端部に上方に開口する凹部が形成されている。リンク棒２３は、電磁ソレノイド装置２４によって上方位置に変位されると、他端部の上記開口内に、連結棒２１に設けられたピンを収容し、連結棒２１に連結された状態になる。かかる状態であれば、リンク棒２３は、ブレード１２の開動作によってブレード２０を閉動作させ、ブレード２０の開動作によってブレード１２を閉動作させることができる。
【００５１】
一方、電源部からソレノイド２６に所定の電源が供給されていない場合は、アーム２５が縮んでリンク棒２３が下方位置に変位される。リンク棒２３は、電磁ソレノイド装置２４によって下方位置に変位されると、他端部の上記開口から、連結棒２１に設けられたピンが外れ、連結棒２１に連結されていない状態（連結棒１３及び２１の連結を解除した状態）になる。かかる状態では、リンク棒２３は、ブレード１２及び２０の各動作を互いに連動させることができない。このため、ブレード１２及び２０は、自重によって各先端部が下がり、開口２ａ及び２ｂの双方が閉鎖される。
【００５２】
電磁ソレノイド装置２４は、上記解除条件の成立の有無を、例えば、ファン９及び１７が共に停止してからの経過時間に基づいて判定する。かかる場合、例えば、電源部にスイッチ機能を備えておき、発熱体１にエネルギー供給が行われている間は、上記スイッチをＯＮにして、電源部からソレノイド２６に所定の電源を供給する。その後、発熱体１へのエネルギー供給が遮断されてファン９及び１７が同時に停止した状態になると、それから所定の時間が経過した後に、上記スイッチをＯＦＦにして、電源部からソレノイド２６への電源供給を遮断する。これにより、発熱体１と筐体２との熱時定数に応じた熱放出に要する時間を確保することができる。
【００５３】
電磁ソレノイド装置２４は、上記解除条件の成立の有無を、発熱体１の温度（或いは、筐体２の内部温度）に基づいて判定しても良い。かかる場合、例えば、発熱体１の温度（或いは、筐体２の内部温度）を検出する温度検出装置（図示せず）を別途備えておく。
【００５４】
上記構成の電磁ソレノイド装置２４では、発熱体１にエネルギー供給が行われている間、電源部からソレノイド２６に所定の電源を供給する。その後、発熱体１へのエネルギー供給が遮断されてファン９及び１７が同時に停止した状態になると、その後に温度検出装置によって検出された温度が所定値よりも低くなった場合に、電源部からソレノイド２６への電源供給を遮断する。かかる構成であれば、発熱体１の温度（或いは、筐体２の内部温度）が所定値よりも低くなったことを確認してから、連結棒１３及び２１の連結を解除することができる。
【符号の説明】
【００５５】
１  発熱体
２  筐体
２ａ、２ｂ  開口
３  吸気口
４  冷却経路
４ａ  ショートカット経路
５ａ、５ｂ  排気口
６  バッフル
７、８、２７、２８  換気扇
９、１７、３１、３３  ファン
１０、１８、２９、３０  シャッター装置
１１、１４、１９、２２、３２、３４  ケース
１２、２０  ブレード
１３、２１  連結棒
１５、１６  軸
２３  リンク棒
２４  電磁ソレノイド装置
２５  アーム
２６  ソレノイド
【図１】
0005799595.tif 000002
【図２】
0005799595.tif 000003
【図３】
0005799595.tif 000004
【図４】
0005799595.tif 000005
【図５】
0005799595.tif 000006
【図６】
0005799595.tif 000007
【図７】
0005799595.tif 000008
【図８】
0005799595.tif 000009
【図９】
0005799595.tif 000010
【図１０】
0005799595.tif 000011
【図１１】
0005799595.tif 000012